(57)【要約】【課題】複数台の無線送信装置からの無線信号に基づき、各管理対象の状態を表示する状態表示装置であって、無線送信装置との間の通信が良好に行えなくなったことをユーザが把握できる状態表示装置を提供する。【解決手段】状態表示装置２０は、複数の状態表示用ＬＥＤ３４と複数の余裕度表示用ＬＥＤ３５とを備え、管理対象の状態が変化したことを示す無線信号を受信した場合に、当該管理対象に対応付けられている状態表示用ＬＥＤ３４の点灯／消灯制御を行うと共に、受信された無線信号の受信強度が所定の閾値以上であるか否かが点灯／消灯により示されるように、状態表示用ＬＥＤ３４の上に配置されている余裕度表示用ＬＥＤ３５を制御する。【選択図】図４
2018186371.tif 000002
【特許請求の範囲】
【請求項１】
複数の無線送信装置のそれぞれにより送信される無線信号であって、その送信元の無線送信装置に対応付けられている管理対象の状態が変化したことを示す無線信号を受信する受信部と、
各管理対象の現在の状態を表示すると共に、各無線送信装置との間の前記無線信号による通信の余裕度を表示するための表示部と、
前記受信部により受信された無線信号に基づき、当該無線信号により状態が変化したことが通知された管理対象と当該管理対象の変化後の状態とを特定し、特定した変化後の状態を特定した管理対象の現在の状態として前記表示部に表示させると共に、前記受信部により受信された無線信号の受信強度から、当該無線信号の送信元の無線送信装置との間の前記無線信号による通信の余裕度を求め、求めた通信の余裕度を前記表示部に表示させる制御部と、
を備える状態表示装置。
【請求項２】
前記表示部は、互いに異なる管理対象に対応付けられた複数の発光素子ペアを含み、
複数の発光素子ペアのそれぞれは、第１発光素子と第２発光素子とを含み、
前記制御部は、前記特定した管理対象に対応付けられている前記発光素子ペアの第１発光素子を、前記特定した変化後の状態に応じた動作状態で動作させると共に、前記特定した管理対象に対応付けられている前記発光素子ペアの第２発光素子を、前記求めた通信の余裕度に応じた動作状態で動作させる
ことを特徴とする請求項１に記載の状態表示装置。
【請求項３】
前記表示部は、互いに異なる管理対象に対応付けられた複数の発光素子を含み、
前記制御部は、前記特定した管理対象に対応付けられている前記発光素子を、前記特定した変化後の状態と前記求めた通信の余裕度の組合せに応じた動作状態で動作させる
ことを特徴とする請求項１に記載の状態表示装置。
【請求項４】
前記複数の発光素子のそれぞれが、カラー発光素子であり、
前記制御部は、前記特定した管理対象に対応付けられている前記発光素子を、前記特定した変化後の状態と前記求めた通信の余裕度の組合せに応じた色で発光させる
ことを特徴とする請求項３に記載の状態表示装置。
【請求項５】
履歴表示指示を受け付けるための指示受付部を、さらに、備え、
前記制御部は、
前記受信部により受信された無線信号を処理する度に、前記表示部に表示させた前記管理対象の状態と前記無線信号による通信の余裕度とを示す履歴情報を記憶装置に記憶し、
前記指示受付部により履歴表示指示が受け付けられた場合に、前記記憶装置に記憶されている履歴情報に基づき、過去に前記表示部に表示された各管理対象の状態と各無線送信装置との間の前記無線信号による通信の余裕度とを前記表示部に表示させる
ことを特徴とする請求項１から４のいずれか一項に記載の状態表示装置。
【請求項６】
前記制御部は、前記履歴情報を前記記憶装置への記憶順が分かる形で前記記憶装置に追加記憶し、
前記指示受付部は、履歴の表示に使用する各管理対象の履歴情報を前記記憶装置に記憶された順番で指定する履歴表示指示を受け付け、
前記制御部は、前記指示受付部により履歴表示指示が受け付けられた場合、前記記憶装置に記憶された順番が当該履歴表示指示で指定されている順番と一致する各管理対象の履歴情報に基づき、過去に前記表示部に表示された各管理対象の状態と各無線送信装置との間の前記無線信号による通信の余裕度とを前記表示部に表示させる
ことを特徴とする請求項５に記載の状態表示装置。
【請求項７】
履歴の表示対象とする管理対象の指定を伴う履歴表示指示を受け付けるための指示受付部を、さらに、備え、
前記制御部は、
前記受信部により受信された無線信号を処理する度に、前記表示部に表示させた前記管理対象の状態と前記無線信号による通信の余裕度とを示す履歴情報を前記記憶装置への記憶順が分かる形で記憶装置に記憶し、
前記指示受付部により履歴表示指示が受け付けられた場合、当該履歴表示指示で指定されている管理対象についての最新の複数個の履歴情報に基づき、当該複数個の履歴情報のそれぞれが示している管理対象の状態と通信の余裕度とを前記表示部に表示させる
ことを特徴とする請求項１から４のいずれか一項に記載の状態表示装置。
【請求項８】
複数の無線送信装置のそれぞれにより送信される無線信号であって、その送信元の無線送信装置に対応付けられている管理対象の状態が変化したことを示す無線信号を受信する受信部と、
前記無線信号による通信の余裕度の表示対象とする管理対象の指定を受け付ける受付部と、
各管理対象の現在の状態を表示すると共に、通信の余裕度の表示対象として指定されている管理対象との間の前記無線信号による通信の余裕度を表示するための表示部と、
前記受信部により受信された無線信号に基づき、当該無線信号により状態が変化したことが通知された管理対象と当該管理対象の変化後の状態とを特定し、特定した変化後の状態を特定した管理対象の現在の状態として前記表示部に表示させ、特定した管理対象が管理対象として指定されている管理対象であった場合には、さらに、前記無線信号による通信の余裕度を、前記受信部により受信された無線信号の受信強度から求めて前記表示部に表示させる制御部と、
を備える状態表示装置。
【請求項９】
前記表示部は、セグメントディスプレイを含み、
前記制御部は、前記特定した管理対象が通信の余裕度の表示対象として指定されている管理対象であった場合には、前記無線信号による通信の余裕度を示す数値を前記表示部の前記セグメントディスプレイに表示させる
ことを特徴とする請求項８に記載の状態表示装置。
【請求項１０】
前記表示部は、発光素子を含み、
前記制御部は、前記特定した管理対象が通信の余裕度の表示対象として指定されている管理対象であった場合には、前記無線信号による通信の余裕度に応じたパターンで前記表示部の前記発光素子に点滅させる
ことを特徴とする請求項８に記載の状態表示装置。
【請求項１１】
前記表示部は、前記無線信号による通信の余裕度を表示するための複数の発光素子を含み、
前記制御部は、前記特定した管理対象が通信の余裕度の表示対象として指定されている管理対象であった場合には、前記無線信号による通信の余裕度に応じて、前記表示部の前記複数の発光素子中の点灯させる発光素子の数を変更する
ことを特徴とする請求項８に記載の状態表示装置。
【請求項１２】
前記受信部が受信する無線信号には、それを送信した無線送信装置の機器ＩＤが含まれ、
前記制御部は、
各管理対象と、各管理対象の状態が変化したことを示す無線信号を送信する１台以上の無線送信装置の機器ＩＤとの対応関係を示す対応関係情報を保持し、
前記受信部により無線信号が受信される度に、受信された無線信号の受信強度から求めた通信の余裕度を、当該無線信号に含まれていた機器ＩＤに対応付けて記憶装置に記憶し、
前記受信部により受信された無線信号により状態が変化したことが通知された管理対象が通信の余裕度の表示対象として指定されている管理対象であった場合には、前記対応関係情報に基づき、当該管理対象の状態が変化したことを示す無線信号を送信する、今回の無線信号の送信元ではない各無線送信装置の機器ＩＤを特定し、特定した各機器ＩＤに対応付けられて前記記憶装置に記憶されている通信の余裕度と、今回の無線信号の受信強度から求めた通信の余裕度とを、前記表示部に表示させる
ことを特徴とする請求項８から１１のいずれか一項に記載の状態表示装置。
【請求項１３】
請求項１から１２のいずれか一項に記載の状態表示装置と、
それぞれ、ユーザの操作力から電力を生成し、生成した電力で前記無線信号を送信する複数の無線送信装置と、
を備える状態表示システム。
【請求項１４】
前記受信部により受信された無線信号の受信強度から求められた通信の余裕度を示す、当該無線信号の送信元の無線送信装置宛ての第２無線信号を送信する送信部、をさらに備えた請求項１から１２のいずれか一項に記載の状態表示装置と、
前記無線信号を送信する複数の無線送信装置であって、それぞれ、前記状態表示装置からの、自無線送信装置宛ての前記第２無線信号を受信するための無線送信装置側受信部と、通信の余裕度を表示する表示部と、前記無線送信装置側受信部により受信された自無線送信装置宛ての前記第２無線信号に基づき、通信の余裕度を前記表示部に表示させる制御部と、を備える複数の無線送信装置と、
を備える状態表示システム。
【請求項１５】
管理対象の状態が変化したことを示す無線信号を送信する無線送信装置側送信部と、
前記無線送信装置側送信部が送信する無線信号を受信した状態表示装置が送信する、当該無線信号による通信の余裕度を示す自装置宛ての第２無線信号を、受信するための無線送信装置側受信部と、
通信の余裕度を表示する表示部と、
前記無線送信装置側受信部により受信された自装置宛ての第２無線信号に基づき、通信の余裕度を前記表示部に表示させる制御部と、
を備える無線送信装置。
【発明の詳細な説明】
【技術分野】
【０００１】
本発明は、状態表示装置と状態表示システムと無線送信装置とに関する。
【背景技術】
【０００２】
スイッチに無線信号の送信機能を付加した無線送信装置を生産ライン等の各所に配置して、各無線送信装置からの無線信号に基づき、１台の装置（以下、状態表示装置と表記する）に各所の状態を表示させることが行われている。なお、スイッチに無線信号の送信機能を付加した無線送信装置は、無線スイッチ等とも称されている。
【０００３】
上記のような複数台の無線送信装置と状態表示装置とを組み合わせてシステム（以下、状態表示システムと表記する）を構築する際には、各無線送信装置と状態表示装置の間の通信が良好に行えるように、各装置の位置が決定される。ただし、状態表示システムの構築後に、生産ライン等に何らかの設備が追加されて、幾つかの無線送信装置と状態表示装置との間の通信が良好に行えなくなる場合がある。また、幾つかの無線送信装置及び／又は状態表示装置の故障により、幾つかの無線送信装置と状態表示装置との間の通信が良好に行えなくなる場合もある。
【０００４】
そのため、無線送信装置と状態表示装置との間の通信が良好に行えなくなったことをユーザが把握できる技術が望まれる。
【先行技術文献】
【特許文献】
【０００５】
【特許文献１】特開２０１１−１５１７００号公報
【発明の概要】
【発明が解決しようとする課題】
【０００６】
本発明は、上記現状に鑑みてなされたものであり、無線送信装置と状態表示装置との間の通信が良好に行えなくなったことをユーザが把握できる技術を提供することを目的とする。
【課題を解決するための手段】
【０００７】
上記課題を解決するために、本発明の第１の態様の状態表示装置は、複数の無線送信装置のそれぞれにより送信される無線信号であって、その送信元の無線送信装置に対応付けられている管理対象の状態が変化したことを示す無線信号を受信する受信部と、各管理対象の現在の状態を表示すると共に、各無線送信装置との間の前記無線信号による通信の余裕度を表示するための表示部と、前記受信部により受信された無線信号に基づき、当該無線信号により状態が変化したことが通知された管理対象と当該管理対象の変化後の状態とを特定し、特定した変化後の状態を特定した管理対象の現在の状態として前記表示部に表示させると共に、前記受信部により受信された無線信号の受信強度から、当該無線信号の送信元の無線送信装置との間の前記無線信号による通信の余裕度を求め、求めた通信の余裕度を前記表示部に表示させる制御部と、を備える。
【０００８】
すなわち、本発明の第１の態様の状態表示装置は、各無線送信装置との間の無線信号による通信の余裕度が、表示部に表示される構成を有する。そのため、ユーザ（状態表示装置の管理者等）は、状態表示装置の表示部に表示される各余裕度から、通信が良好に行えなくなった無線送信装置を把握して、障害復旧対策の第１アクションを決定することができる。従って、本発明の第１の態様の状態表示装置によれば、無線障害の解決にかかるト
ータル工数を削減することができる。
【０００９】
本発明の第１の態様の状態表示装置に、『前記表示部は、互いに異なる管理対象に対応付けられた複数の発光素子ペアを含み、複数の発光素子ペアのそれぞれは、第１発光素子と第２発光素子とを含み、前記制御部は、前記特定した管理対象に対応付けられている前記発光素子ペアの第１発光素子を、前記特定した変化後の状態に応じた動作状態で動作させると共に、前記特定した管理対象に対応付けられている前記発光素子ペアの第２発光素子を、前記求めた通信の余裕度に応じた動作状態で動作させる』構成を採用しておいても良い。この構成における制御部は、第１発光素子、第２発光素子のそれぞれを、少なくとも２つの動作状態で動作させるものであれば良い。また、各発光素子が動作する２以上の動作状態は、互いに異なる動作状態でありさえすれば、どのような動作状態（点灯状態、消灯状態、点滅状態、第１色で発光する状態、第２色で発光する状態等）であっても良い。
【００１０】
また、本発明の第１の態様の状態表示装置に、『前記表示部は、互いに異なる管理対象に対応付づけられた複数の発光素子を含み、前記制御部は、前記特定した管理対象に対応付けられている前記発光素子を、前記特定した変化後の状態と前記求めた通信の余裕度の組合せに応じた動作状態で動作させる』構成を採用しておいても良い。この構成における制御部は、発光素子を、少なくとも４つの動作状態で動作させるものであれば良い。例えば、各発光素子が、カラー発光素子である場合には、前記特定した管理対象に対応付けられている前記発光素子を、前記特定した変化後の状態と前記求めた通信の余裕度の組合せに応じた色で発光させる制御部を採用しても良い。
【００１１】
また、本発明の第１の態様の状態表示装置に、『履歴表示指示を受け付けるための指示受付部を、さらに、備え、前記制御部は、前記受信部により受信された無線信号を処理する度に、前記表示部に表示させた前記管理対象の状態と前記無線信号による通信の余裕度とを示す履歴情報を記憶装置に記憶し、前記指示受付部により履歴表示指示が受け付けられた場合に、前記記憶装置に記憶されている履歴情報に基づき、過去に前記表示部に表示された各管理対象の状態と各管理対象との間の前記無線信号による通信の余裕度とを前記表示部に表示させる』構成を採用しても良い。この構成を採用する場合には、さらに、『前記制御部は、前記履歴情報を前記記憶装置への記憶順が分かる形で前記記憶装置に記憶し、前記指示受付部は、履歴の表示に使用する各管理対象の履歴情報を前記記憶装置に記憶された順番で指定する履歴表示指示を受け付け、前記制御部は、前記指示受付部により履歴表示指示が受け付けられた場合、前記記憶装置に記憶された順番が当該表示指示で指定されている順番と一致する各管理対象の履歴情報に基づき、過去に前記表示部に表示された各管理対象の状態と各無線送信装置との間の前記無線信号による通信の余裕度とを前記表示部に表示させる』構成を採用しても良い。
【００１２】
また、本発明の第１の態様の状態表示装置に、『履歴の表示対象とする管理対象の指定を伴う履歴表示指示を受け付けるための指示受付部を、さらに、備え、前記制御部は、前記受信部により受信された無線信号を処理する度に、前記表示部に表示させた前記管理対象の状態と前記無線信号による通信の余裕度とを示す履歴情報を前記記憶装置への記憶順が分かる形で記憶装置に記憶し、前記指示受付部により履歴表示指示が受け付けられた場合、当該履歴表示指示で指定されている管理対象についての最新の複数個の履歴情報に基づき、当該複数個の履歴情報のそれぞれが示している管理対象の状態と通信の余裕度とを前記表示部に表示させる』構成を採用しても良い。
【００１３】
上記のような、指示受付部を備えた構成を採用しておけば、ユーザが、管理対象毎に、過去の無線信号による通信の余裕度を確認できることになる。そして、或る無線送信装置と状態表示装置との間の通信が、それらの間を通過した物体により阻害された場合には、
当該無線送信装置との間の通信の余裕度が、低下してから回復する。また、或る無線送信装置及び／又は状態表示装置の通信機能に問題が生じた場合、当該無線送信装置との間の通信の余裕度は、低下したままとなる。さらに、状態表示装置の通信機能に問題が生じている場合、通常、全無線送信装置との間の無線通信に問題が生ずる。従って、上記構成を採用しておけば、通信障害の原因が、無線送信装置、状態表示装置、無線送信装置と状態表示装置との間に存在する物体のいずれであるかを、表示部に表示される情報から推定できる状態表示装置を実現することが出来る。
【００１４】
また、上記課題を解決するために、本発明の第２の態様の状態表示装置は、複数の無線送信装置のそれぞれにより送信される無線信号であって、その送信元の無線送信装置に対応付けられている管理対象の状態が変化したことを示す無線信号を受信する受信部と、前記無線信号による通信の余裕度の表示対象とする管理対象の指定を受け付ける受付部と、各管理対象の現在の状態を表示すると共に、通信の余裕度の表示対象として指定されている管理対象との間の前記無線信号による通信の余裕度を表示するための表示部と、前記受信部により受信された無線信号に基づき、当該無線信号により状態が変化したことが通知された管理対象と当該管理対象の変化後の状態とを特定し、特定した変化後の状態を特定した管理対象の現在の状態として前記表示部に表示させ、特定した管理対象が管理対象として指定されている管理対象であった場合には、さらに、前記無線信号による通信の余裕度を、前記受信部により受信された無線信号の受信強度から求めて前記表示部に表示させる制御部と、を備える。
【００１５】
すなわち、本発明の第２の態様の状態表示装置は、通信の余裕度を表示する（通信の余裕度の表示対象とする）管理対象を指定すれば、当該管理対象の状態が変化したことを示す無線信号を送信する無線送信装置との間の通信の余裕度が、表示部に表示される構成を有する。そのため、管理対象を順次変更することにより、ユーザは、各無線送信装置との間の通信の余裕度を知ることが出来る。従って、本発明の第２の態様の状態表示装置によっても、無線送信装置との間の通信が良好に行えなくなったことをユーザが把握し、障害復旧対策の第１アクションを決定することができるため、無線障害の解決にかかるトータル工数を削減することができる。
【００１６】
本発明の第２の態様の状態表示装置は、様々な形で実現できるものである。例えば、本発明の第２の態様の状態表示装置を、『前記表示部は、セグメントディスプレイを含み、前記制御部は、前記特定した管理対象が通信の余裕度の表示対象として指定されている管理対象であった場合には、前記無線信号による通信の余裕度を示す数値を前記表示部の前記セグメントディスプレイに表示させる』装置や、『前記表示部は、発光素子を含み、前記制御部は、前記特定した管理対象が通信の余裕度の表示対象として指定されている管理対象であった場合には、前記無線信号による通信の余裕度に応じたパターンで前記表示部の前記発光素子に点滅させる』
装置として実現することが出来る。
【００１７】
また、本発明の第２の態様の状態表示装置を、『前記表示部は、前記無線信号による通信の余裕度を表示するための複数の発光素子を含み、前記制御部は、前記特定した管理対象が通信の余裕度の表示対象として指定されている管理対象であった場合には、前記無線信号による通信の余裕度に応じて、前記表示部の前記複数の発光素子中の点灯させる発光素子の数を変更する』装置として実現しても良い。
【００１８】
さらに、本発明の第２の態様の状態表示装置に、『前記受信部が受信する無線信号には、それを送信した無線送信装置の機器ＩＤが含まれ、前記制御部は、各管理対象と、各管理対象の状態が変化したことを示す無線信号を送信する１台以上の無線送信装置の機器ＩＤとの対応関係を示す対応関係情報を保持し、前記受信部により無線信号が受信される度
に、受信された無線信号の受信強度から求めた通信の余裕度を、当該無線信号に含まれていた機器ＩＤに対応付けて記憶装置に記憶し、前記受信部により受信された無線信号により状態が変化したことが通知された管理対象が通信の余裕度の表示対象として指定されている管理対象であった場合には、前記対応関係情報に基づき、当該管理対象の状態が変化したことを示す無線信号を送信する、今回の無線信号の送信元ではない各無線送信装置の機器ＩＤを特定し、特定した各機器ＩＤに対応付けられて前記記憶装置に記憶されている通信の余裕度と、今回の無線信号の受信強度から求めた通信の余裕度とを、前記表示部に表示させる』構成を採用しても良い。
【００１９】
この構成を、第２の態様の状態表示装置に採用しておけば、幾つかの管理対象の近傍に、各管理対象の状態が変化したことを示す無線信号を送信する複数台の無線送信装置が配置されていても、それとの間の通信が良好に行えていない無線送信装置を特定できることになる。具体的には、或る管理対象の近傍に、当該管理対象の状態が変化したことを示す無線信号を送信する複数台の無線送信装置が配置されており、当該複数台の無線送信装置の中の１台の無線送信装置との間の通信に問題が生じた場合を考える。この場合、上記構成を有ない各状態表示装置では、当該複数台の無線送信装置のいずれかとの間の通信に問題が生じたことは分かるが、どの無線送信装置との間の通信に問題が生じているのかは分からない。一方、上記構成を採用しておけば、個々の無線送信装置との間の通信の余裕度を把握できる。従って、上記構成を採用しておけば、幾つかの管理対象の近傍に、各管理対象の状態が変化したことを示す無線信号を送信する複数台の無線送信装置が配置されていても、それとの間の通信が良好に行えていない無線送信装置を特定できることになる。
【００２０】
本発明の各態様の状態表示装置と組み合わせて使用する無線送信装置は、管理対象の状態が変化したことを示す無線信号を送信できる装置であれば、ユーザの操作力から電力を生成し、生成した電力で前記無線信号を送信する装置であっても、バッテリや商用電源からの電力で無線信号を送信する装置であって良い。
【００２１】
また、前記受信部により受信された無線信号の受信強度から求められた通信の余裕度を示す、当該無線信号の送信元の無線送信装置宛ての第２無線信号を送信する送信部、をさらに備えた請求項１から１２のいずれか一項に記載の状態表示装置と、前記無線信号を送信する複数の無線送信装置であって、それぞれ、前記状態表示装置からの、自無線送信装置宛ての前記第２無線信号を受信するための無線送信装置側受信部と、通信の余裕度を表示する表示部と、前記無線送信装置側受信部により受信された自無線送信装置宛ての前記第２無線信号に基づき、通信の余裕度を前記表示部に表示させる制御部と、を備える複数の無線送信装置とにより、状態表示システムを構成しても良い。
【００２２】
上記構成を有する状態表示システムでは、各無線送信装置からの無線信号による通信の余裕度が、各無線送信装置の表示部に表示される。そのため、各無線送信装置のユーザ（操作者）が、自身が操作した無線送信装置からの通信が良好に行えなくなっているか否かを把握できる。従って、上記構成を有する状態表示システムによれば、その分、問題の発生を早期に把握することができる。
【発明の効果】
【００２３】
本発明によれば、ユーザが、通信が良好に行えなくなった無線通信が把握して、障害復旧対策の第１アクションを決定することができるため、無線障害の解決にかかるトータル工数を削減することができる。
【図面の簡単な説明】
【００２４】
【図１】図１は、本発明の第１実施例に係る状態表示システムの概略構成図である。
【図２】図２は、第１実施例に係る状態表示システムの無線送信装置の概略構成図である。
【図３】図３は、第１実施例に係る状態表示システムの状態表示装置の概略構成図である。
【図４】図４は、第１実施例に係る状態表示システムの状態表示装置の概略外観図である。
【図５】図５は、第１実施例に係る状態表示システムの状態表示装置内の制御部が実行する表示制御処理の流れ図である。
【図６】図６は、本発明の第２実施例に係る状態表示システムの状態表示装置の概略構成図である。
【図７】図７は、第２実施例に係る状態表示システムの状態表示装置の概略外観図である。
【図８】図８は、第２実施例に係る状態表示システムの状態表示装置内の制御部が実行する表示制御処理の流れ図である。
【図９】図９は、本発明の第３実施例に係る状態表示システムの状態表示装置の概略外観図である。
【図１０】図１０は、第３実施例に係る状態表示システムの状態表示装置内の制御部が実行する表示制御処理の流れ図である。
【図１１】図１１は、本発明の第４実施例に係る状態表示システムの状態表示装置の概略外観図である。
【図１２】図１２は、本発明の第５実施例に係る状態表示システムの状態表示装置内の制御部が実行する表示制御処理の流れ図である。
【図１３】図１３は、本発明の第６実施例に係る状態表示システムの状態表示装置の概略外観図である。
【図１４】図１４は、第６実施例に係る状態表示システムの状態表示装置内の制御部が実行する表示制御処理の流れ図である。
【図１５】図１５は、第７実施例に係る状態表示システムの状態表示装置内の制御部が実行する表示制御処理の流れ図である。
【図１６】図１６は、本発明の第８実施例に係る状態表示システムの状態表示装置の概略構成図である。
【図１７】図１７は、第８実施例に係る状態表示システムの状態表示装置内の制御部が実行する表示制御処理の流れ図である。
【図１８】図１８は、第８実施例に係る状態表示システムの無線送信装置の概略構成図である。
【発明を実施するための形態】
【００２５】
以下、本発明の実施の形態を、実施例にもとづき、図面を参照して説明する。
【００２６】
《第１実施例》
図１に、本発明の第１実施例に係る状態表示システムの概略構成を示す。まず、この図１を用いて、本実施例に係る状態表示システムの概要を説明する。
【００２７】
図１に示してあるように、本実施例に係る状態表示システムは、複数台の無線送信装置１０と１台の状態表示装置２０とを備える。
【００２８】
本状態表示システムは、複数の管理対象の状態が、状態表示装置２０の正面パネル（詳細は後述）に表示されるシステムである。なお、管理対象とは、施設（工場等）内の装置（自動開閉ドア、製造装置等）、装置や人手により行われる作業等のことである。
【００２９】
状態表示システムの各無線送信装置１０は、無線送信装置１０の識別情報である機器ＩＤと、２種の制御出力情報（以下、オン情報、オフ情報と表記する）のいずれかとを含む
所定形式の無線信号を、所定の操作がなされたときに送信する装置である。
【００３０】
無線送信装置１０には、第１無線送信装置１０と、第２無線送信装置１０とがある。第２無線送信装置１０は、オン情報を含む無線信号とオフ情報を含む無線信号とをユーザが選択的に送信させることが出来る装置である。第１無線送信装置１０は、ユーザによる操作時に、オン情報を含む無線信号、オフ情報を含む無線信号の中の、予め設定されている方の無線信号を送信する装置である。
【００３１】
状態表示システムのセットアップ時には、各管理対象にできるだけ近い場所に状態表示装置２０を設置し、各無線送信装置１０は各管理対象の近傍の施設構造物などに固定的に設置する。無線送信装置１０は必ずしも固定する必要はなく、施設内で使用するフォークリフトなどの移動体に取り付けてもよい。
【００３２】
そして、状態表示装置２０を配置する際は、各無線送信装置１０との間の間隔が、無線送信装置１０の最大通信可能距離（通常、５０〜１００ｍ）以下となるように設置場所を選定する。もし無線送信装置１０を移動体に取り付けた場合には、管理対象の操作が必要となる移動体の場所を想定して配置場所を選定する。
【００３３】
以下、第１実施例に係る状態表示システムについてさらに具体的に説明する。
【００３４】
まず、ユーザによる操作時に、オン情報を含む無線信号、オフ情報を含む無線信号の中の、予め設定されている方の無線信号を送信する装置である第１無線送信装置１０について説明する。
【００３５】
図２に、第１無線送信装置１０の概略構成を示す。図示してあるように、第１無線送信装置１０は、スイッチ操作部１１、発電部１２、制御部１３、送信部１４及びアンテナ１５を備える。
【００３６】
スイッチ操作部１１は、押しボタン、押下された押しボタンを押し戻すためのスプリング等からなる機構である。発電部１２は、スイッチ操作部１１の押しボタンへの押圧力に基づき発電を行うユニットである。本実施例に係る発電部１２は、押しボタンの移動をコイルと磁石の相対移動に変換することにより電気エネルギーを生成する発電機構、発電機構の出力を整流するブリッジ回路、ブリッジ回路からの出力で充電されるコンデンサ、コンデンサの端子間電圧を所定電圧とするレギュレータとにより構成されている。すなわち、本実施例に係る発電部１２の発電機構は、電磁誘導により発電を行うものとなっている。ただし、発電部１２の発電機構は、押しボタンへの押圧力を圧電素子に伝えることにより電気エネルギーを生成するものであっても良い。
【００３７】
送信部１４は、制御部１３から送信を指示された信号を変調してアンテナ１５から送信するユニットであり、発電部１２からの電力で動作する。制御部１３も、発電部１２からの電力で動作するユニットである。この制御部１３は、集積回路（マイクロプロセッサ、デジタルエンコーダ等）と、無線信号に含める制御出力情報を、オン情報、オフ情報のいずれとするかをユーザが設定するための設定機構（ディップスイッチやジャンパーピン）等から構成されている。制御部１３の集積回路には、機器ＩＤが設定されており、制御部１３（集積回路）は、発電部１２から電力が供給されたときに（つまり、押しボタンが押下されたときに）、設定されている機器ＩＤ及び制御出力情報を含めた無線信号の送信を送信部１４に対して指示する。
【００３８】
次に、オン情報を含む無線信号とオフ情報を含む無線信号とをユーザが選択的に送信させることが出来る装置である第２無線送信装置１０について、図２を参照して説明する。
【００３９】
第２無線送信装置１０も、第１無線送信装置１０と同様に、押しボタンの押圧力を電気エネルギーに変換して動作する装置である。具体的には、第２無線送信装置１０は、２組のスイッチ操作部１１及び発電部１２と、いずれの発電部１２からの電力でも動作可能に２つの発電部１２と接続された１組の制御部１３及び送信部１４と、１つのアンテナ１５とを備えている。そして、第２無線送信装置１０の制御部１３は、一方の発電部１２から電力が供給された場合には、機器ＩＤ及びオン情報を含む無線信号を送信部１４に送信させ、他方の発電部１２から電力が供給された場合には、機器ＩＤ及びオフ情報を含む無線信号を送信部１４に送信させるように、構成されている。
【００４０】
以下、状態表示装置２０について説明する。
図３、図４に、それぞれ、状態表示装置２０の概略構成図、概略外観図を示す。
【００４１】
図３に示してあるように、状態表示装置２０は、アンテナ２１、受信部２２、制御部２３、状態表示部２４、余裕度表示部２５及び指示受付部２６を備える。なお、状態表示装置２０は、商用電源に接続されて使用される装置である。そのため、状態表示装置２０は、商用電源からの電圧を降圧して各部に供給する電源回路（図示略）も備えている。また、状態表示装置２０は、コンピュータと通信を行うための通信インターフェース（図示略；本実施例では、ＵＳＢインターフェース）も備えている。
【００４２】
受信部２２は、各無線送信装置１０からの無線信号をアンテナ２１を介して受信し、受信した無線信号中の機器ＩＤ及び制御出力情報を、受信した無線信号の受信強度（ＲＳＳＩ：Received Signal Strength Indicator）と共に、制御部２３に通知するユニットである。この受信部２２は、受信した無線信号の受信強度が、その内容を把握するのに十分な強度（以下、所定強度と表記する）に満たない場合、制御部２３に何も通知しない。すなわち、受信部２２は、所定強度以上の無線信号を受信した場合だけに、当該無線信号に含まれる機器ＩＤ及び制御出力情報と、当該無線信号の受信強度（≧所定強度）とを、制御部２３に通知する。
【００４３】
状態表示部２４は、各管理対象の状態を表示するためのユニットである。余裕度表示部２５は、各管理対象の近傍に配置されている無線送信装置１０との間の通信の余裕度を表示するためユニットである。図４に示してあるように、本実施例に係る状態表示装置２０の状態表示部２４は、状態表示装置２０の正面パネルに配置された１６個の状態表示用ＬＥＤ（Light Emitting Diode）３４によって構成されている。余裕度表示部２５は、状態表示装置２０の正面パネルに配置された１６個の余裕度表示用ＬＥＤ３５によって構成されている。
【００４４】
指示受付部２６（図３）は、ユーザから、監視履歴（状態及び余裕度の過去の監視結果）の表示指示を受け付けるためのユニットである。この指示受付部２６は、図４に示してあるように、状態表示装置２０の正面パネルに配置された２つのロータリースイッチ２６ａ及び２６ｂにより構成されている。通常時（管理履歴の非表示時）におけるロータリースイッチ２６ａ及び２６ｂの値は、いずれも０である。監視履歴を確認したい場合、ユーザは、ロータリースイッチ２６ａ及び２６ｂを、“ロータリースイッチ２６ａの値×１０＋ロータリースイッチ２６ｂの値”（以下、指定値Ｓと表記する）が１〜１６となるように操作する。
【００４５】
制御部２３は、プロセッサ（ＣＰＵ、マイクロプロセッサ）、記憶装置２３ａ（本実施例では、ＲＯＭ及びＲＡＭ）等から構成されたユニットである。記憶装置２３ａ（ＲＯＭ）には、状態表示装置２０用のものとして作成されたプログラムが記憶されており、プロセッサが、当該プログラムをＲＡＭ上に読み出して実行することにより、制御部２３は、
各種処理を行うユニットとして機能する。
【００４６】
以下、制御部２３が行う処理について説明する。なお、詳細については後述するが、状態表示装置２０の正面パネルに上下に並んで配置されている状態表示用ＬＥＤ３４と余裕度表示用ＬＥＤ３５は、ペアをなしており、同じ管理対象に関する情報を表示するために使用される。そのため、以下の説明では、状態表示装置２０の正面パネル（図４参照）に配置されている各状態表示用ＬＥＤ３４のことを、各状態表示用ＬＥＤ３４の下に示されている数値ｍ（ｍ＝１〜１６）を用いて、状態表示用ＬＥＤ＃ｍと表記する。また、状態表示用ＬＥＤ＃ｍとペアをなしている余裕度表示用ＬＥＤ３５（状態表示用ＬＥＤ＃ｍの上に配置されている余裕度表示用ＬＥＤ３５）のことを、余裕度表示用ＬＥＤ＃ｍと表記する。さらに、状態表示用ＬＥＤ＃ｍ及び余裕度表示用ＬＥＤ＃ｍによって、それに関する情報が表示される管理対象のことを、管理対象＃ｍと表記し、ｍ値のことを管理対象番号と表記する。
【００４７】
本状態表示システムの運用開始時には、状態表示装置２０に、各管理対象＃ｋ（ｋ＝１〜１６）の近傍に配置されている（又は、これから配置する）各無線送信装置１０の機器ＩＤを設定する作業が行われる。この作業は、例えば、状態表示装置２０にコンピュータを接続し、当該コンピュータを操作することにより行われる。
【００４８】
上記作業が行われると、記憶装置２３ａに、複数の管理対象番号ｋのそれぞれと、１つ以上の機器ＩＤとの間の対応関係を示す対応関係情報が登録（記憶）される。そして、対応関係情報の登録が完了すると、制御部２３は、図５に示した手順の表示制御処理を開始する。
【００４９】
すなわち、対応関係情報の登録完了により、この表示制御処理を開始した制御部２３は、ステップＳ１０１及びＳ１０２の処理を繰り返すことにより、指定値Ｓが“０”であるか否かと、受信部２２による無線信号の受信の有無とを監視する。
【００５０】
既に説明したように、受信部２２は、所定強度以上の無線信号を受信した場合だけに、当該無線信号に含まれる機器ＩＤ及び制御出力情報と、当該無線信号の受信強度（≧所定強度）とを制御部２３に通知する。従って、ステップＳ１０２にて制御部２３が実際に行う処理は、受信部２２から、機器ＩＤ、制御出力情報及び受信強度が通知されるのを監視する処理である。
【００５１】
受信部２２により無線信号が受信された場合（ステップＳ１０２；ＹＥＳ）、制御部２３は、受信部２２から通知された機器ＩＤに基づき、状態が変化したことが今回の無線信号により通知された管理対象の管理対象番号ｎを特定する（ステップＳ１０３）。すなわち、制御部２３は、このステップＳ１０３にて、受信部２２から通知された機器ＩＤに対応付けられている管理対象番号ｎを対応関係情報から読み出す処理を行う。
【００５２】
管理対象番号ｎの特定を終えた制御部２３は、受信部２２から通知された制御出力情報と受信強度とに基づき、状態表示用ＬＥＤ＃ｎと余裕度表示用ＬＥＤ＃ｎとに対して行う制御内容を決定する（ステップＳ１０４）。
【００５３】
具体的には、このステップＳ１０４にて、制御部２３は、受信部２２が受信した無線信号に含まれていた制御出力情報（受信部２２から通知された制御出力情報）がオン情報であった場合には、状態表示ＬＥＤ＃ｎを点灯させることを決定し、当該制御出力情報がオフ情報であった場合には、状態表示ＬＥＤ＃ｎを消灯させることを決定する。また、制御部２３は、受信部２２が受信した無線信号の受信強度（受信部２２から通知された受信強度）が、予め設定されている閾値以上であった場合には、余裕度表示用ＬＥＤ＃ｎを点灯
させることを決定し、受信強度が閾値未満であった場合には、余裕度表示用ＬＥＤ＃ｎを消灯させることを決定する。
【００５４】
ステップＳ１０４の処理を終えた制御部２３は、当該処理で決定した内容の制御を、状態表示用ＬＥＤ＃ｎと余裕度表示用ＬＥＤ＃ｎとに対して実施する（ステップＳ１０５）。
【００５５】
次いで、制御部２３は、履歴情報記憶処理（ステップＳ１０６）を行う。この履歴情報記憶処理は、状態表示用ＬＥＤ＃ｎと余裕度表示用ＬＥＤ＃ｎの現在の状態（点灯状態／消灯状態）を示す情報を、記憶装置２３ａに、管理対象＃ｎに関する最新の履歴情報として記憶する処理である。なお、制御部２３が行う履歴情報記憶処理は、記憶順が分かる形で、最新の、最大１６個の履歴情報を記憶装置２３ａに記憶する処理である。すなわち、記憶装置２３ａに記憶されている管理対象＃ｎに関する履歴情報が１５個以下の場合、履歴情報記憶処理では、今回の履歴情報を最新の履歴情報として追加記憶される。一方、記憶装置２３ａに記憶されている管理対象＃ｎに関する履歴情報が１６個である場合、履歴情報記憶処理では、今回の履歴情報で、最も過去に記憶装置２３ａに記憶された管理対象＃ｎに関する履歴情報が書き換えられる。
【００５６】
ステップＳ１０６の処理を終えた制御部２３は、ステップＳ１０２以降の処理を開始することにより、指定値Ｓが“０”であるか否かと受信部２２による無線信号の受信の有無とを監視している状態に戻る。
【００５７】
制御部２３は、指定値Ｓが“０”ではない値となった場合（ステップＳ１０１；ＮＯ）には、各管理対象に関するＳ回前の履歴情報に基づき、Ｓ回前の無線信号受信時と同じ状態となるように、各管理対象に関する各ＬＥＤ３４、３５を制御する（ステップＳ１１１）。このステップＳ１１１の処理は、記憶装置２３ａに記憶されている各管理対象に関する最新の履歴情報を、１回前の履歴情報として取り扱う処理である。
【００５８】
ステップＳ１１１の処理を終えた制御部２３は、指定値Ｓが、０〜１６の範囲内の他の値に変更されるのを監視（待機）する（ステップＳ１１２）。そして、制御部２３は、指定値Ｓが１〜１６の範囲内の他の値に変更された場合（ステップＳ１１２；ＹＥＳ、Ｓ１１３；ＮＯ）には、ステップＳ１１１に戻って、各管理対象に関するＳ回前の履歴情報を用いて、Ｓ回前の無線信号受信時と同じ状態となるように、各管理対象に関する各ＬＥＤ３４、３５を制御する。
【００５９】
また、制御部２３は、指定値Ｓが０に変更された場合（ステップＳ１１２；ＹＥＳ、Ｓ１１３；ＹＥＳ）には、ステップＳ１０２に戻って、指定値Ｓが“０”であるか否かと受信部２２による無線信号の受信の有無とを判定している状態となる。
【００６０】
以上、説明したように、本実施例に係る状態表示装置２０は、各無線送信装置１０との間の無線通信の余裕度が表示される余裕度表示部２５（複数の余裕度表示用ＬＥＤ３５）を有している。そのため、状態表示装置２０のユーザは、余裕度表示部２５に表示される各余裕度から、無線信号による通信が良好に行えなくなっている無線送信装置１０を把握し、障害復旧対策の第１アクションを決定することができる。従って、状態表示装置２０によれば、無線障害の解決にかかるトータル工数を削減することができる
【００６１】
さらに、状態表示装置２０は、各管理対象についての監視履歴（過去の状態及び余裕度の監視結果）を表示する履歴表示機能を有している。
【００６２】
或る無線送信装置１０と状態表示装置２０との間の通信が、それらの間を通過した物体
により阻害された場合には、当該無線送信装置１０との間の通信の余裕度が、低下してから回復する。また、或る無線送信装置１０及び／又は状態表示装置２０の通信機能に問題が生じた場合には、当該無線送信装置１０との間の通信の余裕度は、低下したままとなる。
【００６３】
そして、状態表示装置２０の通信機能に問題が生じている場合、上述したように、通常、全無線送信装置１０との間の無線通信に問題が生ずる。従って、状態表示装置２０の履歴表示機能を利用すれば、通信障害の原因が、無線送信装置１０、状態表示装置２０、無線送信装置１０と状態表示装置２０との間に存在する物体のいずれであるかを推定することができる。
【００６４】
《第２実施例》
以下、第２実施例に係る状態表示システムの構成及び動作を、第１実施例に係る状態表示システムと異なる点を中心に説明する。なお、以下で説明する各第２〜７実施例に係る状態表示システムは、状態表示装置２０の構成、機能のみが、第１実施例に係る状態表示システムと異なるシステムとなっている。そのため、以下では、各実施例に係る状態表示システムの状態表示装置２０の構成、機能だけを説明する。また、以下の説明では、第Ｎ実施例（Ｎ＝１〜７）に係る状態表示システムの状態表示装置２０のことを、第Ｎ状態表示装置２０とも表記する。
【００６５】
図６、図７に、それぞれ、第２状態表示装置２０の概略構成図、概略外観図を示す。
図６に示してあるように、第２状態表示装置２０は、ハードウェア的には、第１状態表示装置２０（図３参照）の余裕度表示部２５及び状態表示部２４を、状態・余裕度表示部２７に置き換えた装置である。
【００６６】
状態・余裕度表示部２７は、図７に示してあるように、状態表示装置２０の正面パネルに配置された１６個の状態・余裕度表示用ＬＥＤ３７により構成されている。各状態・余裕度表示用ＬＥＤ＃は、特定の管理対象に関する情報（状態及び余裕度）を表示するためのフルカラーＬＥＤである。以下、状態表示装置２０の正面パネルに配置されている各状態・余裕度表示用ＬＥＤ３７のことを、各状態・余裕度表示用ＬＥＤ３７の下に示されている数値ｍ（ｍ＝１〜１６）を用いて、状態・余裕度表示用ＬＥＤ＃ｍと表記する。また、状態・余裕度表示用ＬＥＤ＃ｍによって、それに関する情報が表示される管理対象のことを、管理対象＃ｍと表記し、ｍ値のことを管理対象番号と表記する。
【００６７】
第２状態表示装置２０の制御部２３は、実行する表示制御処理の内容のみが、第１状態表示装置２０の制御部２３と異なるユニットである。第２状態表示装置２０の制御部２３は、図８に示した手順の表示制御処理を行うように構成（プログラミング）されている。
【００６８】
すなわち、対応関係情報の登録が完了すると、制御部２３は、指定値Ｓ（ロータリースイッチ２６ａ、２６ｂが示している値）が“０”であるか否かと、受信部２２による無線信号の受信の有無とを判定する処理（ステップＳ２０２及びＳ２０２）を繰り返す。そして、制御部２３は、受信部２２により無線信号が受信された場合（ステップＳ２０２；ＹＥＳ）には、受信部２２から通知された機器ＩＤに基づき、状態が変化したことが今回の無線信号により通知されている管理対象の管理対象番号ｎを特定する（ステップＳ２０３）。
【００６９】
管理対象番号ｎの特定を終えた制御部２３は、受信部２２から通知されている制御出力情報と受信強度とに基づき、状態・余裕度表示用ＬＥＤ＃ｎに対して行う制御内容を決定する（ステップＳ２０４）。
【００７０】
このステップＳ２０４にて、制御部２３は、受信部２２が受信した無線信号に含まれていた制御出力情報（受信部２２から通知された制御出力情報）がオン情報であるかオフ情報であるかを判断する。また、制御部２３は、受信部２２が受信した無線信号の受信強度（受信部２２から通知された受信強度）が、予め設定されている閾値以上であるか否かも判断する。
【００７１】
そして、制御部２３は、各判断結果に基づき、以下のように、状態・余裕度表示用ＬＥＤ＃ｎに対して行う制御内容を決定してから、ステップＳ２０４の処理を終了する。
制御出力情報＝オン情報  and  受信強度≧閾値  →  緑色で発光させる
制御出力情報＝オン情報  and  受信強度＜閾値  →  黄色で発光させる
制御出力情報＝オフ情報  and  受信強度≧閾値  →  青色で発光させる
制御出力情報＝オフ情報  and  受信強度＜閾値  →  水色で発光させる
【００７２】
ステップＳ２０４の処理を終えた制御部２３は、当該処理で決定した内容の制御を、状態・余裕度表示用ＬＥＤ＃ｎに対して実施する（ステップＳ２０５）。
【００７３】
次いで、制御部２３は、履歴情報記憶処理（ステップＳ２０６）を行う。この履歴情報記憶処理は、記憶される履歴情報が、状態・余裕度表示用ＬＥＤ＃ｎの現在の表示色を示す情報である点のみが、ステップＳ１０６（図５）にて行われる履歴情報記憶処理と異なる処理である。
【００７４】
ステップＳ２０６の処理を終えた制御部２３は、指定値Ｓが“０”ではない値になることと、受信部２２により無線信号が受信されることとを監視している状態に戻る。
【００７５】
そして、制御部２３は、指定値Ｓが“０”ではない値となった場合（ステップＳ２０１；ＮＯ）には、各管理対象に関するＳ回前の履歴情報に基づき、Ｓ回前の無線信号受信時と同じ状態となるように、各管理対象用の状態・余裕度表示用ＬＥＤ３７を制御する（ステップＳ２１１）。このステップＳ２１１の処理は、ステップＳ１１１の処理と同様に、記憶装置２３ａに記憶されている各管理対象に関する最新の履歴情報を、１回前の履歴情報として取り扱う処理である。
【００７６】
ステップＳ２１１の処理を終えた制御部２３は、指定値Ｓが、０〜１６の範囲内の他の値に変更されるのを監視（待機）する（ステップＳ２１２）。そして、制御部２３は、指定値Ｓが１〜１６の範囲内の他の値に変更された場合（ステップＳ２１２；ＹＥＳ、Ｓ２１３；ＮＯ）には、ステップＳ２１１に戻って、各管理対象に関するＳ回前の履歴情報に基づき、Ｓ回前の無線信号受信時と同じ状態となるように、各管理対象に関する状態・余裕度表示用ＬＥＤ３７を制御する。
【００７７】
また、制御部２３は、指定値Ｓが０に変更された場合（ステップＳ２１２；ＹＥＳ、Ｓ２１３；ＹＥＳ）には、ステップＳ２０２に戻る。すなわち、制御部２３は、指定値Ｓが“０”であるか否かと受信部２２による無線信号の受信の有無とを監視している状態に戻る。
【００７８】
以上、説明したように、本実施例に係る状態表示装置２０も、第１実施例に係る状態表示装置２０と同様に、各無線送信装置１０との間の無線信号による通信の余裕度を表示する機能を有している。そのため、状態表示装置２０のユーザは、無線送信装置との間の通信が良好に行えなくなったことを把握して、障害復旧対策の第１アクションを決定することができる。従って、状態表示装置２０によれば、無線障害の解決にかかるトータル工数を削減することができる。
【００７９】
さらに、本実施例に係る状態表示装置２０も、各管理対象についての監視履歴（過去の状態及び余裕度の監視結果）を表示することが出来る。そのため、状態表示装置２０のユーザは、各管理対象についての監視履歴に基づき、通信障害の原因が、無線送信装置１０、状態表示装置２０、無線送信装置１０と状態表示装置２０との間に存在する物体のいずれであるかを推定することも出来る。
【００８０】
《第３実施例》
以下、本発明の第３実施例に係る状態表示システムについて、第１実施例に係る状態表示システムと異なる点を中心に説明する。
【００８１】
第３状態表示装置２０（第３実施例に係る状態表示システムの状態表示装置２０）は、第１状態表示装置２０（第１実施例に係る状態表示システムの状態表示装置２０；図３参照）と同様に、アンテナ２１、受信部２２、制御部２３、状態表示部２４、余裕度表示部２５及び指示受付部２６を備えた装置である。
【００８２】
ただし、図９に示したように、第３状態表示装置２０には、余裕度表示部２５として、１桁の数字が表示できるセグメントディスプレイ２５ａが使用されている。また、第３状態表示装置２０の指示受付部２６（ロータリースイッチ２６ａ、２６ｂ）は、監視履歴の表示指示を受け付けるためのものではなく、それとの間の通信の余裕度をセグメントディスプレイ２５ａに表示する無線送信装置１０を管理対象番号で指定するためのものとなっている。
【００８３】
そして、第３状態表示装置２０の制御部２３は、上記手順の表示制御処理（図５）の代わりに、図１０に示した手順の表示制御処理を行うように構成されている。
【００８４】
すなわち、対応関係情報の登録が完了すると、制御部２３は、ステップＳ３０１及びＳ３０２の判断を繰り返すことにより、指定値Ｓ（ロータリースイッチ２６ａ、２６ｂが示している値）が変更されることと、受信部２２により無線信号が受信されることとを監視する。
【００８５】
受信部２２により無線信号が受信された場合（ステップＳ３０２；ＹＥＳ）、制御部２３は、受信部２２からの機器ＩＤに基づき、状態が変化したことが今回の無線信号により通知された管理対象の管理対象番号ｎを特定する（ステップＳ３０３）。
【００８６】
管理対象番号ｎの特定を終えた制御部２３は、受信部２２から通知された制御出力情報に基づき、状態表示用ＬＥＤ＃ｎに対して行う制御内容を決定する（ステップＳ３０４）。すなわち、制御部２３は、受信部２２が今回受信した無線信号に含まれていた制御出力情報（受信部２２から今回通知された制御出力情報）がオン情報であった場合には、状態表示ＬＥＤ＃ｎを点灯させることを決定し、当該制御出力情報がオフ情報であった場合には、状態表示ＬＥＤ＃ｎを消灯させることを決定する。
【００８７】
また、制御部２３は、受信部２２から通知された受信強度に基づき、余裕度＃ｎを決定する処理も、ステップＳ３０４にて行う。ここで、余裕度＃ｎとは、無線信号により管理対象＃ｎの状態が変化したことを通知してきた無線送信装置１０との間の通信の余裕度を表す１〜３の数値のことである。制御部２３は、この余裕度＃ｎを以下の手順で決定する。
【００８８】
制御部２３は、今回の無線信号の受信強度が、以下の第１〜第３受信強度区分のいずれの区分内の受信強度であるかを判断する。
第１受信強度区分：  所定強度以上且つ第１閾値未満
第２受信強度区分：  第１閾値以上且つ第２閾値未満
第３受信強度区分：  第２閾値以上
なお、既に説明したように、所定強度とは、受信部２２が、機器ＩＤと制御出力情報とを制御部２３に通知する無線信号の最低強度のことである。また、第１閾値とは、予め設定されている、所定強度よりも大きな値のことであり、第２閾値とは、予め設定されている、第１閾値よりも大きな値のことである。
【００８９】
そして、制御部２３は、無線信号の受信強度の第ｐ受信強度区分内の受信強度であった場合には、余裕度＃ｎの値をｐとする。
【００９０】
ステップＳ３０４の処理を終えた制御部２３は、当該処理で決定した内容の制御を、状態表示用ＬＥＤ＃ｎに対して実施する（ステップＳ３０５）。また、制御部２３は、余裕度＃ｎを、管理対象＃ｎに関する最新の余裕度として記憶装置２３ａに記憶する（ステップＳ３０６）。
【００９１】
次いで、制御部２３は、指定値Ｓと管理対象番号ｎとが一致しているか否かを判断する（ステップＳ３０７）。指定値Ｓと管理対象番号ｎとが一致していた場合（ステップＳ３０７；ＹＥＳ）、制御部２３は、余裕度＃ｎを、セグメントディスプレイ２５ａに表示させる処理（ステップＳ３０８）を行ってから、ステップＳ３０１以降の処理を再び開始する。一方、指定値Ｓと管理対象番号ｎとが一致していなかった場合（ステップＳ３０７；ＮＯ）、制御部２３は、セグメントディスプレイ２５ａに対する制御を行うことなく、ステップＳ３０１以降の処理を再び開始する。
【００９２】
制御部２３は、無線信号が受信されるのを待機している間に指定値Ｓが変更された場合（ステップＳ３０１；ＹＥＳ）には、記憶装置２３ａに記憶されている、管理対象＃Ｓに関する最新の余裕度をセグメントディスプレイ２５ａに表示させる（ステップＳ３１１）。そして、制御部２３は、再び、無線信号が受信されることと、指定値Ｓが変更されることとを待機する状態となる。
【００９３】
以上、説明したように、本実施例に係る状態表示装置２０も、各無線送信装置１０との間の無線信号による通信の余裕度を表示する機能を有している。そのため、状態表示装置２０のユーザは、指定値Ｓを変更することにより、セグメントディスプレイ２５ａに表示される各余裕度から、無線信号による通信が良好に行えなくなっている無線送信装置１０を把握し、障害復旧対策の第１アクションを決定することができる。従って、状態表示装置２０によれば、無線障害の解決にかかるトータル工数を削減することができる。
【００９４】
《第４実施例》
以下、本発明の第４実施例に係る状態表示システムの構成、動作を、第３実施例に係る状態表示システムと異なる点を中心に説明する。
【００９５】
図１１に、第４状態表示装置２０（第４実施例に係る状態表示システムの状態表示装置２０）の概略外観図を示す。
【００９６】
この図１１と図９とを比較すれば明らかなように、第４状態表示装置２０は、第３状態表示装置２０のセグメントディスプレイ２５ａの代わりに、３つのＬＥＤ２８を設けた装置である。
【００９７】
そして、第４状態表示装置２０の制御部２３は、ステップＳ３０８、Ｓ３１１の処理を、それぞれ、余裕度＃ｎと同じ数のＬＥＤ２８を点灯させる処理、管理対象＃Ｓに関する最新の余裕度と同じ数のＬＥＤ２８を点灯させる処理に変えた表示制御処理を行うように
構成されている。
【００９８】
本実施例に係る状態表示装置２０も、各無線送信装置１０との間の無線信号による通信の余裕度を表示する機能を有している。従って、本実施例に係る状態表示装置２０によっても、無線信号による通信が良好に行えなくなっている無線送信装置１０の有無等を把握することが出来る。
【００９９】
《第５実施例》
以下、本発明の第５実施例に係る状態表示システムの構成、動作を、第３実施例に係る状態表示システムと異なる点を中心に説明する。
【０１００】
図１２に、第５状態表示装置２０（第５実施例に係る状態表示システムの状態表示装置２０）の概略外観図を示す。
【０１０１】
この図１２と図９とを比較すれば明らかなように、第５状態表示装置２０は、第３状態表示装置２０のセグメントディスプレイ２５ａの代わりに、１つのＬＥＤ２８を設けた装置である。
【０１０２】
そして、第５状態表示装置２０の制御部２３は、ステップＳ３０８、Ｓ３１１の処理を、それぞれ、余裕度＃ｎに応じたパターンでＬＥＤ２８を点滅させる処理、管理対象＃Ｓに関する最新の余裕度に応じたパターンでＬＥＤ２８を点滅させる処理に変えた表示制御処理を行うように構成されている。
【０１０３】
本実施例に係る状態表示装置２０も、各無線送信装置１０との間の無線信号による通信の余裕度を表示する機能を有している。従って、本実施例に係る状態表示装置２０によっても、無線障害の解決にかかるトータル工数を削減することができる。
【０１０４】
《第６実施例》
以下、本発明の第６実施例に係る状態表示システムについて、第３実施例に係る状態表示システムと異なる点を中心に説明する。
【０１０５】
第６状態表示装置２０（第６実施例に係る状態表示システムの状態表示装置２０）は、第１状態表示装置２０（第１実施例に係る状態表示システムの状態表示装置２０；図３参照）と同様に、アンテナ２１、受信部２２、制御部２３、状態表示部２４、余裕度表示部２５及び指示受付部２６を備えた装置である。
【０１０６】
ただし、図１３に示したように、第６状態表示装置２０には、余裕度表示部２５として、液晶ディスプレイ２５ｂが使用されている。
【０１０７】
そして、第６状態表示装置２０の制御部２３は、上記手順の表示制御処理（図１０）の代わりに、図１４に示した手順の表示制御処理を行うように構成されている。
【０１０８】
この表示制御処理（図１４）のステップＳ４０１〜Ｓ４０５、Ｓ４０７の処理は、それぞれ、図１０の表示制御処理のステップＳ３０１〜Ｓ３０５、Ｓ３０７の処理と同じ処理である。
【０１０９】
すなわち、対応関係情報の登録が完了すると、制御部２３は、ステップＳ４０１及びＳ４０２の判断を繰り返すことにより、指定値Ｓ（ロータリースイッチ２６ａ、２６ｂが示している値）が“０”であるか否かと受信部２２による無線信号の受信有無とを監視する。
【０１１０】
受信部２２により無線信号が受信された場合（ステップＳ４０２；ＹＥＳ）、制御部２３は、受信部２２からの機器ＩＤに基づき、状態が変化したことが今回の無線信号により通知された管理対象の管理対象番号ｎを特定する（ステップＳ４０３）。
【０１１１】
管理対象番号ｎの特定を終えた制御部２３は、受信部２２から通知された制御出力情報に基づき、状態表示用ＬＥＤ＃ｎに対して行う制御内容を決定すると共に、受信部２２から通知された受信強度に基づき、余裕度＃ｎを決定する（ステップＳ４０４）。そして、制御部２３は、ステップＳ４０４の処理で決定した内容の制御を、状態表示用ＬＥＤ＃ｎに対して実施する（ステップＳ４０５）。
【０１１２】
その後、制御部２３は、余裕度＃ｎを、管理対象番号ｎと、受信部２２から今回通知された機器ＩＤとに対応付けて記憶装置２３ａに記憶する（ステップＳ４０６）。
【０１１３】
次いで、制御部２３は、指定値Ｓと管理対象番号ｎとが一致しているか否かを判断する（ステップＳ４０７）。そして、制御部２３は、指定値Ｓと管理対象番号ｎとが一致していた場合（ステップＳ４０７；ＹＥＳ）には、管理対象番号ｎに対応付けられて記憶装置２３ａに記憶されている全余裕度を、液晶ディスプレイ２５ｂに表示させる（ステップＳ４０８）。なお、本実施例に係る制御部２３が、このステップＳ４０８及び後述するステップＳ４１１で行う処理は、対応付けられている機器ＩＤの順に、各余裕度（１〜３の数値）を並べた情報（数字列）を液晶ディスプレイ２５ｂに表示させる処理である。ただし、ステップＳ４０８，Ｓ４１１の処理は、他の順で各余裕度を並べた情報を液晶ディスプレイ２５ｂに表示させる処理であっても、各余裕度の前に機器ＩＤを配置した情報を液晶ディスプレイ２５ｂに表示させる処理であっても良い。
【０１１４】
指定値Ｓと管理対象番号ｎとが一致していなかった場合（ステップＳ４０７；ＮＯ）、制御部２３は、液晶ディスプレイ２５ｂに対する制御を行うことなく、ステップＳ４０１以降の処理を再び開始する。
【０１１５】
制御部２３は、無線信号が受信されるのを待機している間に指定値Ｓが変更された場合（ステップＳ４０１；ＹＥＳ）には、記憶装置２３ａに、管理対象番号Ｓに対応付けられている全余裕度を液晶ディスプレイ２５ｂに表示させる（ステップＳ４１１）。そして、制御部２３は、再び、無線信号が受信されることと、指定値Ｓが変更されることとを待機する状態となる。
【０１１６】
以上、説明したように、本実施例に係る状態表示装置２０も、各無線送信装置１０との間の無線信号による通信の余裕度を表示する機能を有している。従って、この状態表示装置２０によれば、無線障害の解決にかかるトータル工数を削減することができる。
【０１１７】
また、本実施例に係る状態表示装置２０によれば、幾つかの管理対象の近傍に、各管理対象の状態が変化したことを示す無線信号を送信する複数台の無線送信装置１０が配置されていても、それとの間の通信が良好に行えていない無線送信装置１０を特定できることになる。具体的には、或る管理対象の近傍に、当該管理対象の状態が変化したことを示す無線信号を送信する複数台の無線送信装置１０が配置されており、当該複数台の無線送信装置１０の中の１台の無線送信装置１０との間の通信に問題が生じた場合を考える。この場合、第１〜第５実施例に係る状態表示装置２０では、当該複数台の無線送信装置１０のいずれかとの間の通信に問題が生じたことは分かるが、どの無線送信装置１０との間の通信に問題が生じているのかは分からない。一方、本実施例に係る状態表示装置２０によれば、同じ管理対象の近傍に配置されている複数台の無線送信装置１０のそれぞれについて、通信の余裕度を表示できる。従って、本実施例に係る状態表示装置２０を用いておけば
、幾つかの管理対象の近傍に、各管理対象の状態が変化したことを示す無線信号を送信する複数台の無線送信装置１０が配置されていても、それとの間の通信が良好に行えていない無線送信装置１０を特定することができる。
【０１１８】
《第７実施例》
以下、本発明の第７実施例に係る状態表示システムについて、第１実施例に係る状態表示システムと異なる点を中心に説明する。
【０１１９】
第７状態表示装置２０（第７実施例に係る状態表示システムの状態表示装置２０）は、第１状態表示装置２０と同じハードウェア構成を有する装置である。ただし、第７状態表示装置２０の制御部２３は、表示制御処理（図５）の代わりに、図１５に示した手順の表示制御処理を行うように構成（プログラミング）されている。
【０１２０】
この表示制御処理（図１５）のステップＳ５０１〜Ｓ５０６の処理は、それぞれ、上記ステップＳ１０１〜Ｓ１０６の処理と同じものである。すなわち、対応関係情報の登録が完了したため、この表示制御処理（図１５）を開始した制御部２３は、ステップＳ５０１及びＳ５０２の処理を繰り返すことにより、指定値Ｓが“０”であるか否かと、受信部２２による無線信号の受信の有無とを監視する。
【０１２１】
受信部２２により無線信号が受信された場合（ステップＳ５０２；ＹＥＳ）、制御部２３は、受信部２２から通知された機器ＩＤに基づき、状態が変化したことが今回の無線信号により通知された管理対象の管理対象番号ｎを特定する（ステップＳ５０３）。次いで、制御部２３は、受信部２２から通知された制御出力情報と受信強度とに基づき、状態表示用ＬＥＤ＃ｎと余裕度表示用ＬＥＤ＃ｎとに対して行う制御内容を決定する（ステップＳ５０４）。
【０１２２】
そして、制御部２３は、ステップＳ５０４の処理で決定した内容の制御を、状態表示用ＬＥＤ＃ｎと余裕度表示用ＬＥＤ＃ｎとに対して実施する（ステップＳ５０５）。続くステップＳ５０６にて、制御部２３は、状態表示用ＬＥＤ＃ｎと余裕度表示用ＬＥＤ＃ｎの現在の状態（点灯状態／消灯状態）を示す情報を監視対象＃ｎに関する最新の履歴情報として記憶装置２３ａに記憶する履歴情報記憶処理を行う。
【０１２３】
履歴情報記憶処理を終えた制御部２３は、ステップＳ５０２に戻る。すなわち、制御部２３は、指定値Ｓが“０”であるか否かと受信部２２による無線信号の受信の有無とを監視している状態に戻る。
【０１２４】
制御部２３は、指定値Ｓが“０”ではない値となった場合（ステップＳ５０１；ＮＯ）には、管理対象#Ｓについての最新の１６個の履歴情報に基づき、ｊ（＝１〜１６）回前
の通信に関する状態、余裕度を、それぞれ、状態表示用ＬＥＤ＃ｊ、余裕度表示用ＬＥＤ＃ｊに表示させる処理（ステップＳ５１１）を行う。
【０１２５】
ステップＳ５１１の処理を終えた制御部２３は、指定値Ｓが、０〜１６の範囲内の他の値に変更されるのを監視（待機）する（ステップＳ５１２）。そして、制御部２３は、指定値Ｓが１〜１６の範囲内の他の値に変更された場合（ステップＳ５１２；ＹＥＳ、Ｓ５１３；ＮＯ）には、ステップＳ５１１に戻って、新たに選択（指定）された監視対象に関する履歴情報を用いて、当該監視対象についての１６回前までの各通信に関する状態と余裕度とを、状態表示用ＬＥＤ＃１〜１６と余裕度表示用ＬＥＤ＃１〜１６とに表示させる。
【０１２６】
また、制御部２３は、指定値Ｓが０に変更された場合（ステップＳ５１２；ＹＥＳ、Ｓ
５１３；ＹＥＳ）には、ステップＳ５０２以降の処理を開始することにより、指定値Ｓが“０”であるか否かと受信部２２による無線信号の受信の有無とを監視している状態に戻る。
【０１２７】
以上の説明から明らかなように、第７状態表示装置２０は、指示受付部２６を操作することにより管理対象を指定すると、当該管理対象についての１６回前までの監視履歴（過去の状態及び余裕度の監視結果）が状態表示用ＬＥＤ＃１〜１６と余裕度表示用ＬＥＤ＃１〜１６とにより表示される装置となっている。第７状態表示装置２０のユーザは、或る無線送信装置との間の通信が良好に行えなくなった場合、各管理対象についての監視履歴に基づき、通信障害の原因が、無線送信装置１０、状態表示装置２０、無線送信装置１０と状態表示装置２０との間に存在する物体のいずれであるかを推定することが出来る。そして、ユーザは、当該推定結果も用いて、障害復旧対策の第１アクションを決定することができるので、状態表示装置２０によれば、無線障害の解決にかかるトータル工数を削減することができる。
【０１２８】
《第８実施例》
以下、本発明の第８実施例に係る状態表示システムの構成及び動作を、第１実施例に係る状態表示システムと異なる点を中心に説明する。
【０１２９】
第８実施例に係る状態表示システム（以下、第８状態表示システムとも表記する）は、第１実施例に係る状態表示システム（図１参照）と同様に、複数台の無線送信装置１０と１台の状態表示装置２０とにより構成されるシステムである。
【０１３０】
図１６に、第８状態表示装置２０（第８状態表示システムの状態表示装置２０）の概略構成を示す。
【０１３１】
第８状態表示装置２０は、第１状態表示装置２０と同じ外観（図４参照）を有する装置である。ただし、第８状態表示装置２０の内部構成は、第１状態表示装置２０（図３参照）とは異なっており、図１６に示してあるように、第８状態表示装置２０には、送信部２９が追加されている。送信部２９は、制御部２３から送信を指示された信号を変調してアンテナ２１から送信するユニットである。この送信部２９は、無線送信装置１０が送信する無線信号とは異なる周波数の無線信号をアンテナ２１から送信する。
【０１３２】
また、第８状態表示装置２０の記憶装置２３ａには、第８状態表示装置２０用のものとして作成されたプログラムが記憶されている。そして、第８状態表示装置２０の制御部２３は、当該プログラムに従って、図１７に示した手順の表示制御処理を実行する。
【０１３３】
この表示制御処理のステップＳ６０１〜Ｓ６０６、Ｓ６１１〜Ｓ６１３の処理は、それぞれ、第１状態表示装置２０の制御部２３が実行する表示制御処理（図５）のステップＳ１０１〜Ｓ１０６、Ｓ１１１〜Ｓ１１３の処理と同じ処理である。
【０１３４】
すなわち、第８状態表示装置２０の制御部２３は、基本的には、第１状態表示装置２０の制御部２３と同様に動作する。ただし、第８状態表示装置２０の制御部２３は、無線信号の受信毎に、受信無線信号中の機器ＩＤと余裕度通知情報とを含む第２無線信号の送信を送信部２９に指示する処理（ステップＳ６０５ｂ）も行う。ここで、余裕度通知情報とは、ステップＳ６０４の処理で余裕度表示用ＬＥＤ＃ｎに対して行うことが決定された制御内容を示す情報のことである。この余裕度通知情報は、ステップＳ６０４の処理で余裕度表示用ＬＥＤ＃ｎに対して行うことが決定された制御内容を直接的に示す情報であっても、間接的に示す情報（例えば、余裕度の多寡（レベル）を示す値）であっても良い。
【０１３５】
次に、第８状態表示システムの無線送信装置１０について説明する。
【０１３６】
第８状態表示システムには、各無線送信装置１０として、上記した無線信号の送信機能に加えて、自装置宛ての第２無線信号中の余裕度通知情報に基づき、第８状態表示装置２０との間の通信の余裕度をユーザに提示する機能を有するものが使用される。
【０１３７】
第８状態表示システムの構成要素として使用する無線送信装置１０のハードウェア構成は特に限定されない。例えば、図１８に示したような無線送信装置１０、すなわち、スイッチ４１と表示部４２とアンテナ４３と受信部４４と送信部４５と制御部４６とを備えた無線送信装置１０を、第８状態表示システムの構成要素として使用することが出来る。
【０１３８】
この無線送信装置１０は、各部への電力が、バッテリ（図示略）から供給される装置である。スイッチ４１は、接点を内蔵した通常の押しボタンスイッチである。送信部４５は、制御部４６から送信を指示された信号を変調してアンテナ４３から送信するユニットである。受信部４４は、アンテナ４３の出力から所定周波数（第２無線信号の周波数）の信号を取り出して復調し、復調結果を制御部４６に通知するユニットである。表示部４２は、無線信号による通信の余裕度を表示するためユニットである。この表示部４２としては、ＬＥＤやセグメントディスプレイが使用される。
【０１３９】
制御部４６は、制御部１３（図２）と同様に、マイクロプロセッサ等の集積回路と、無線信号に含める制御出力情報を、オン情報、オフ情報のいずれとするかをユーザが設定するための設定機構等から構成されたユニットである。この制御部４６の集積回路には、機器ＩＤが設定されており、制御部４６（集積回路）は、スイッチ４１が押下された場合（スイッチ４１の接点がつながった場合）には、設定されている機器ＩＤ及び制御出力情報を含めた無線信号の送信を送信部４５に対して指示する。
【０１４０】
また、制御部４６は、自装置宛ての第２無線信号がアンテナ４３により受信されること（受信部４４から、設定されている機器ＩＤを含む復調結果が通知されること）を監視する。そして、制御部４６は、自装置宛ての第２無線信号がアンテナ４３により受信された場合には、当該第２無線信号中の余裕度通知情報に基づき、表示部４２の表示内容から、ユーザが、状態表示装置２０との間の通信の余裕度を把握できるように、表示部４２を制御する。なお、表示部４２の表示内容とは、ＬＥＤの発光状態、セグメントディスプレイに表示される数値等のことである。
【０１４１】
以上の説明から明らかなように、本実施例に係る状態表示システムは、各無線送信装置１０からの無線信号による通信の余裕度が、各無線送信装置１０の表示部４２に表示される構成を有している。そのため、本実施例に係る状態表示システムでは、各無線送信装置１０のユーザが、自身が操作した無線送信装置１０からの通信が良好に行えなくなっているか否かを把握できる。従って、本実施例に係る状態表示システムは、各無線送信装置１０のユーザが、自身が操作した無線送信装置１０からの通信が良好に行えなくなっているか否かを把握できる分、問題の発生を早期に把握できるシステムとして機能する。
【０１４２】
《変形例》
上記した各実施例に係る状態表示システムは、各種の変形が可能なものである。例えば、各実施例に係る状態表示装置２０（制御部２３）は、２種類の無線信号（オン情報を含む無線信号とオフ情報を含む無線信号）を受信する装置であった。ただし、各実施例に係る状態表示装置２０を、１種類の無線信号のみを受信する装置、例えば、或る管理対象の状態が第１の状態である状況下、当該管理対象に関する無線信号を受信した場合には、当該管理対象の状態を第２の状態とし、或る管理対象の状態が第２の状態である状況下、当該管理対象に関する無線信号が受信された場合には、当該管理対象の状態を第１の状態と
する装置、に変形することが出来る。また、各実施例に係る状態表示装置２０を、３種類以上の無線信号を受信する装置に変形することも出来る。なお、例えば、第１実施例の状態表示装置２０を、そのような装置に変形する場合、状態表示用ＬＥＤ３４の状態として、無線信号の種類数と同数の状態（点灯状態、消灯状態、点滅状態等）を定義しておけば良い。また、状態表示用ＬＥＤ３４としてカラーＬＥＤを採用し、複数種類の無線信号のそれぞれに、互いに異なる色を割り当てておいても良い。
【０１４３】
さらに、状態表示用ＬＥＤ３４を以下のように制御しても良い。
前回の制御出力情報がオン情報であり、今回の制御出力情報がオン情報である場合：第１動作状態となるように、状態表示用ＬＥＤ３４を制御
前回の制御出力情報がオン情報であり、今回の制御出力情報がオフ情報である場合：第２動作状態となるように、状態表示用ＬＥＤ３４を制御
前回の制御出力情報がオフ情報であり、今回の制御出力情報がオン情報である場合：第３動作状態となるように、状態表示用ＬＥＤ３４を制御
前回の制御出力情報がオフ情報であり、今回の制御出力情報がオフ情報である場合：第４動作状態となるように、状態表示用ＬＥＤ３４を制御
【０１４４】
なお、状態表示用ＬＥＤ３４がモノクロＬＥＤである場合には、第１動作状態〜第４動作状態として、例えば、点灯状態と、消灯状態と、第１点滅状態と、第１点滅状態とは異なるパターンで点滅する第２点滅状態とを採用することが出来る。また、状態表示用ＬＥＤ３４がカラーＬＥＤである場合には、第１動作状態〜第４動作状態として、互いに異なる色で発光する４状態を採用することが出来る。
【０１４５】
また、第３〜第６実施例に係る状態表示装置２０に、履歴表示機能を付与しておいても良く、第１〜第５、第７、第８実施例に係る状態表示装置２０を、機器ＩＤ別に余裕度を表示する機能を付与しておいても良い。
【０１４６】
第８実施例に係る状態表示システムの状態表示装置２０、無線送信装置１０を、それぞれ、受信した無線信号に基づき特定した管理対象の状態を示す状態通知情報も含む第２無線信号を送信する装置、受信した第２無線信号に基づき、管理対象の状態と通信の余裕度とを表示する装置に変形しても良い。
【０１４７】
また、第１〜第７実施例に係る状態表示システムの状態表示装置２０、無線送信装置１０に、それぞれ、余裕度通知情報（及び状態通知情報）を含む第２無線信号を送信する機能、受信した第２無線信号中の余裕度通知情報（及び状態通知情報）に基づき、余裕度（及び管理対象の状態）を表示する機能を付与しておいても良い。
【０１４８】
各実施例に係る状態表示装置２０を、より細かい区分で余裕度を表示する装置に変形しても良い。具体的には、例えば、第１実施例に係る状態表示装置２０を、無線信号の受信強度が所定強度（その内容を把握するのに十分な強度）未満である場合に、余裕度表示用ＬＥＤを消灯させ、無線信号の受信強度が、所定強度以上、閾値未満である場合に、余裕度表示用ＬＥＤを点滅させ、無線信号の受信強度が閾値以上である場合に、余裕度表示用ＬＥＤを点灯させる装置に変形しても良い。第１〜第７実施例に係る状態表示システムの全て又は一部の無線送信装置１０として、バッテリを装着する必要がある装置や、電源と接続する必要な装置を採用しても良い。また、各実施例に係る状態表示システムの全て又は一部の無線送信装置１０として、ユーザの操作が不要な装置、例えば、外部装置から所定の信号が入力されたときに無線信号を送信する装置や、何らかの物理量を測定するためのセンサを備え、当該センサの出力の変化等を契機として無線信号を送信する装置を採用しても良い。
【０１４９】
さらに、指示受付部２６が、ロータリースイッチ２６ｂ、２６ｂ以外の情報入力手段であっても良いことや、セグメントディスプレイ２５ａ、液晶ディスプレイ２５ｂ等に表示させる余裕度が、数値以外の情報（文字等）であっても良いことなどは、当然のことである。
【符号の説明】
【０１５０】
１０  無線送信装置
１１  スイッチ操作部
１２  発電部
１３、２３  制御部
１４  送信部
１５、２１  アンテナ
２０  状態表示装置
２２  受信部
２３ａ  記憶装置
２４  状態表示部
２５  余裕度表示部
２５ａ  セグメントディスプレイ
２５ｂ  液晶ディスプレイ
２６  指示受付部
２７  状態・余裕度表示部
２８  ＬＥＤ
３４  状態表示用ＬＥＤ
３５  余裕度表示用ＬＥＤ
２６ａ、２６ｂ  ロータリースイッチ
３７  フルカラーＬＥＤ
【図１】
2018186371.tif 000003
【図２】
2018186371.tif 000004
【図３】
2018186371.tif 000005
【図４】
2018186371.tif 000006
【図５】
2018186371.tif 000007
【図６】
2018186371.tif 000008
【図７】
2018186371.tif 000009
【図８】
2018186371.tif 000010
【図９】
2018186371.tif 000011
【図１０】
2018186371.tif 000012
【図１１】
2018186371.tif 000013
【図１２】
2018186371.tif 000014
【図１３】
2018186371.tif 000015
【図１４】
2018186371.tif 000016
【図１５】
2018186371.tif 000017
【図１６】
2018186371.tif 000018
【図１７】
2018186371.tif 000019
【図１８】
2018186371.tif 000020
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
複数の無線送信装置のそれぞれにより送信される無線信号であって、その送信元の無線送信装置に対応付けられている管理対象の状態が変化したことを示す無線信号を受信する受信部と、
各管理対象の現在の状態を表示すると共に、各無線送信装置との間の前記無線信号による通信の余裕度を表示するための表示部と、
前記受信部により受信された無線信号に基づき、当該無線信号により状態が変化したことが通知された管理対象と当該管理対象の変化後の状態とを特定し、特定した変化後の状態を特定した管理対象の現在の状態として前記表示部に表示させると共に、前記受信部により受信された無線信号の受信強度から、当該無線信号の送信元の無線送信装置との間の前記無線信号による通信の余裕度を求め、求めた通信の余裕度を前記表示部に表示させる制御部と、
を備える状態表示装置。
【請求項２】
前記表示部は、互いに異なる管理対象に対応付けられた複数の発光素子ペアを含み、
複数の発光素子ペアのそれぞれは、第１発光素子と第２発光素子とを含み、
前記制御部は、前記特定した管理対象に対応付けられている前記発光素子ペアの第１発光素子を、前記特定した変化後の状態に応じた動作状態で動作させると共に、前記特定した管理対象に対応付けられている前記発光素子ペアの第２発光素子を、前記求めた通信の余裕度に応じた動作状態で動作させる
ことを特徴とする請求項１に記載の状態表示装置。
【請求項３】
前記表示部は、互いに異なる管理対象に対応付けられた複数の発光素子を含み、
前記制御部は、前記特定した管理対象に対応付けられている前記発光素子を、前記特定した変化後の状態と前記求めた通信の余裕度の組合せに応じた動作状態で動作させる
ことを特徴とする請求項１に記載の状態表示装置。
【請求項４】
前記複数の発光素子のそれぞれが、カラー発光素子であり、
前記制御部は、前記特定した管理対象に対応付けられている前記発光素子を、前記特定した変化後の状態と前記求めた通信の余裕度の組合せに応じた色で発光させる
ことを特徴とする請求項３に記載の状態表示装置。
【請求項５】
履歴表示指示を受け付けるための指示受付部を、さらに、備え、
前記制御部は、
前記受信部により受信された無線信号を処理する度に、前記表示部に表示させた前記管理対象の状態と前記無線信号による通信の余裕度とを示す履歴情報を記憶装置に記憶し、
前記指示受付部により履歴表示指示が受け付けられた場合に、前記記憶装置に記憶されている履歴情報に基づき、過去に前記表示部に表示された各管理対象の状態と各無線送信装置との間の前記無線信号による通信の余裕度とを前記表示部に表示させる
ことを特徴とする請求項１から４のいずれか一項に記載の状態表示装置。
【請求項６】
前記制御部は、前記履歴情報を前記記憶装置への記憶順が分かる形で前記記憶装置に追加記憶し、
前記指示受付部は、履歴の表示に使用する各管理対象の履歴情報を前記記憶装置に記憶された順番で指定する履歴表示指示を受け付け、
前記制御部は、前記指示受付部により履歴表示指示が受け付けられた場合、前記記憶装置に記憶された順番が当該履歴表示指示で指定されている順番と一致する各管理対象の履歴情報に基づき、過去に前記表示部に表示された各管理対象の状態と各無線送信装置との間の前記無線信号による通信の余裕度とを前記表示部に表示させる
ことを特徴とする請求項５に記載の状態表示装置。
【請求項７】
履歴の表示対象とする管理対象の指定を伴う履歴表示指示を受け付けるための指示受付部を、さらに、備え、
前記制御部は、
前記受信部により受信された無線信号を処理する度に、記憶装置に、前記表示部に表示させた前記管理対象の状態と前記無線信号による通信の余裕度とを示す履歴情報を前記記憶装置への記憶順が分かる形で記憶し、
前記指示受付部により履歴表示指示が受け付けられた場合、当該履歴表示指示で指定されている管理対象についての最新の複数個の履歴情報に基づき、当該複数個の履歴情報のそれぞれが示している管理対象の状態と通信の余裕度とを前記表示部に表示させる
ことを特徴とする請求項１から４のいずれか一項に記載の状態表示装置。
【請求項８】
複数の無線送信装置のそれぞれにより送信される無線信号であって、その送信元の無線送信装置に対応付けられている管理対象の状態が変化したことを示す無線信号を受信する受信部と、
前記無線信号による通信の余裕度の表示対象とする管理対象の指定を受け付ける受付部と、
各管理対象の現在の状態を表示すると共に、通信の余裕度の表示対象として指定されている管理対象との間の前記無線信号による通信の余裕度を表示するための表示部と、
前記受信部により受信された無線信号に基づき、当該無線信号により状態が変化したことが通知された管理対象と当該管理対象の変化後の状態とを特定し、特定した変化後の状態を特定した管理対象の現在の状態として前記表示部に表示させ、特定した管理対象が前記通信の余裕度の表示対象として指定されている管理対象であった場合には、さらに、前記無線信号による通信の余裕度を、前記受信部により受信された無線信号の受信強度から求めて前記表示部に表示させる制御部と、
を備える状態表示装置。
【請求項９】
前記表示部は、セグメントディスプレイを含み、
前記制御部は、前記特定した管理対象が通信の余裕度の表示対象として指定されている管理対象であった場合には、前記無線信号による通信の余裕度を示す数値を前記表示部の前記セグメントディスプレイに表示させる
ことを特徴とする請求項８に記載の状態表示装置。
【請求項１０】
前記表示部は、発光素子を含み、
前記制御部は、前記特定した管理対象が通信の余裕度の表示対象として指定されている管理対象であった場合には、前記無線信号による通信の余裕度に応じたパターンで前記表示部の前記発光素子に点滅させる
ことを特徴とする請求項８に記載の状態表示装置。
【請求項１１】
前記表示部は、前記無線信号による通信の余裕度を表示するための複数の発光素子を含み、
前記制御部は、前記特定した管理対象が通信の余裕度の表示対象として指定されている管理対象であった場合には、前記無線信号による通信の余裕度に応じて、前記表示部の前記複数の発光素子中の点灯させる発光素子の数を変更する
ことを特徴とする請求項８に記載の状態表示装置。
【請求項１２】
前記受信部が受信する無線信号には、それを送信した無線送信装置の機器ＩＤが含まれ、
前記制御部は、
各管理対象と、各管理対象の状態が変化したことを示す無線信号を送信する１台以上の無線送信装置の機器ＩＤとの対応関係を示す対応関係情報を保持し、
前記受信部により無線信号が受信される度に、受信された無線信号の受信強度から求めた通信の余裕度を、当該無線信号に含まれていた機器ＩＤに対応付けて記憶装置に記憶し、
前記受信部により受信された無線信号により状態が変化したことが通知された管理対象が通信の余裕度の表示対象として指定されている管理対象であった場合には、前記対応関係情報に基づき、当該管理対象の状態が変化したことを示す無線信号を送信する、今回の無線信号の送信元ではない各無線送信装置の機器ＩＤを特定し、特定した各機器ＩＤに対応付けられて前記記憶装置に記憶されている通信の余裕度と、今回の無線信号の受信強度から求めた通信の余裕度とを、前記表示部に表示させる
ことを特徴とする請求項８から１１のいずれか一項に記載の状態表示装置。
【請求項１３】
請求項１から１２のいずれか一項に記載の状態表示装置と、
それぞれ、ユーザの操作力から電力を生成し、生成した電力で前記無線信号を送信する複数の無線送信装置と、
を備える状態表示システム。
【請求項１４】
前記受信部により受信された無線信号の受信強度から求められた通信の余裕度を示す、当該無線信号の送信元の無線送信装置宛ての第２無線信号を送信する送信部、をさらに備えた請求項１から１２のいずれか一項に記載の状態表示装置と、
前記無線信号を送信する複数の無線送信装置であって、それぞれ、前記状態表示装置からの、自無線送信装置宛ての前記第２無線信号を受信するための無線送信装置側受信部と、通信の余裕度を表示する表示部と、前記無線送信装置側受信部により受信された自無線送信装置宛ての前記第２無線信号に基づき、通信の余裕度を前記表示部に表示させる制御部と、を備える複数の無線送信装置と、
を備える状態表示システム。
【請求項１５】
管理対象の状態が変化したことを示す無線信号を送信する無線送信装置側送信部と、
前記無線送信装置側送信部が送信する無線信号を受信した状態表示装置が送信する、当該無線信号による通信の余裕度を示す自装置宛ての第２無線信号を、受信するための無線送信装置側受信部と、
通信の余裕度を表示する表示部と、
前記無線送信装置側受信部により受信された自装置宛ての第２無線信号に基づき、通信の余裕度を前記表示部に表示させる制御部と、
を備える無線送信装置。
【手続補正２】
【補正対象書類名】明細書
【補正対象項目名】００１２
【補正方法】変更
【補正の内容】
【００１２】
また、本発明の第１の態様の状態表示装置に、『履歴の表示対象とする管理対象の指定を伴う履歴表示指示を受け付けるための指示受付部を、さらに、備え、前記制御部は、前記受信部により受信された無線信号を処理する度に、記憶装置に、前記表示部に表示させた前記管理対象の状態と前記無線信号による通信の余裕度とを示す履歴情報を前記記憶装置への記憶順が分かる形で記憶し、前記指示受付部により履歴表示指示が受け付けられた場合、当該履歴表示指示で指定されている管理対象についての最新の複数個の履歴情報に基づき、当該複数個の履歴情報のそれぞれが示している管理対象の状態と通信の余裕度とを前記表示部に表示させる』構成を採用しても良い。
【手続補正３】
【補正対象書類名】明細書
【補正対象項目名】００１４
【補正方法】変更
【補正の内容】
【００１４】
また、上記課題を解決するために、本発明の第２の態様の状態表示装置は、複数の無線送信装置のそれぞれにより送信される無線信号であって、その送信元の無線送信装置に対応付けられている管理対象の状態が変化したことを示す無線信号を受信する受信部と、前記無線信号による通信の余裕度の表示対象とする管理対象の指定を受け付ける受付部と、各管理対象の現在の状態を表示すると共に、通信の余裕度の表示対象として指定されている管理対象との間の前記無線信号による通信の余裕度を表示するための表示部と、前記受信部により受信された無線信号に基づき、当該無線信号により状態が変化したことが通知された管理対象と当該管理対象の変化後の状態とを特定し、特定した変化後の状態を特定した管理対象の現在の状態として前記表示部に表示させ、特定した管理対象が前記通信の余裕度の表示対象として指定されている管理対象であった場合には、さらに、前記無線信号による通信の余裕度を、前記受信部により受信された無線信号の受信強度から求めて前記表示部に表示させる制御部と、を備える。